(57)【要約】【課題】建築用板材を軽量化できるとともに、取付強度や外観意匠性を向上させることが可能な建築用板材の取付構造を提供することを目的とする。【解決手段】木材よりも軽い軽量材から構成された基材１１と、基材１１のうち少なくとも前端面および上下面に接合される化粧板１２と、を含んで構成された建築用板材１０が、被取付面である壁面１に設けられた受部１４に取り付けられてなる建築用板材１０の取付構造であって、建築用板材１０と受部１４のうち少なくとも一方が、側面視において被取付面に対して傾斜した傾斜部位を有しており、建築用板材１０は、その被取付面側の端部に形成されて受部１４が嵌合される嵌合凹部１３を備え、建築用板材１０は、受部１４が嵌合凹部１３に嵌合した状態で受部１４に固定されている。【選択図】図２
2017036635.tif 000002
【特許請求の範囲】
【請求項１】
木材よりも軽い軽量材から構成された基材と、
前記基材のうち少なくとも前端面および上下面に接合される化粧板と、を含んで構成された建築用板材が、被取付面に設けられた受部に取り付けられてなる建築用板材の取付構造であって、
前記建築用板材と前記受部のうち少なくとも一方が、側面視において前記被取付面に対して傾斜した傾斜部位を有しており、
前記建築用板材は、その被取付面側の端部に形成されて前記受部が嵌合される嵌合凹部を備え、前記建築用板材は、前記受部が前記嵌合凹部に嵌合した状態で前記受部に固定されていることを特徴とする建築用板材の取付構造。
【請求項２】
請求項１に記載の建築用板材の取付構造において、
側面視において前記受部は、前記嵌合凹部の受部側面に隙間なく当接していることを特徴とする建築用板材の取付構造。
【請求項３】
請求項１または２に記載の建築用板材の取付構造において、
前記被取付面は壁面であり、
前記建築用板材と前記受部の双方が前記傾斜部位を有しており、
前記建築用板材と前記受部のそれぞれの上下面のうち、少なくとも下面が上向きに傾斜した前記傾斜部位であることを特徴とする建築用板材の取付構造。
【請求項４】
請求項１または２に記載の建築用板材の取付構造において、
前記被取付面は壁面であり、
前記建築用板材が側面視において前記壁面に対して垂直に設けられ、
前記受部の上下面のうち、少なくとも下面が上向きに傾斜した前記傾斜部位であることを特徴とする建築用板材の取付構造。
【請求項５】
請求項１または２に記載の建築用板材の取付構造において、
前記被取付面は壁面であり、
前記受部が側面視において前記壁面に対して垂直に設けられ、前記建築用板材が前記傾斜部位を有することを特徴とする建築用板材の取付構造。
【請求項６】
請求項１または２に記載の建築用板材の取付構造において、
前記被取付面は、天井を有する部屋のうち前記天井の周縁部に沿って設けられる壁面であり、
前記建築用板材は、前記天井付近に配置されていることを特徴とする建築用板材の取付構造。
【請求項７】
請求項６に記載の建築用板材の取付構造において、
前記天井は勾配天井であり、
前記建築用板材は、前記勾配天井のうち勾配方向の上方または下方において、前記勾配天井の勾配に沿って傾斜した状態で前記壁面に取り付けられていることを特徴とする建築用板材の取付構造。
【請求項８】
請求項６または７に記載の建築用板材の取付構造において、
複数の前記建築用板材が、互いの端部同士が連結された状態で前記壁面に取り付けられていることを特徴とする建築用板材の取付構造。
【請求項９】
請求項１または２に記載の建築用板材の取付構造において、
前記被取付面は天井であり、
複数の前記建築用板材が、互いの端部同士が連結された状態で、前記天井に設けられた前記受部に取り付けられていることを特徴とする建築用板材の取付構造。
【請求項１０】
請求項１〜９のいずれか一項に記載の建築用板材の取付構造において、
前記被取付面に取り付けられた状態の前記建築用板材における突出方向側端部には、上方または下方に突出する突片が前記建築用板材の長さ方向に沿って設けられていることを特徴とする建築用板材の取付構造。
【発明の詳細な説明】
【技術分野】
【０００１】
本発明は、建築用板材の取付構造に関する。
【背景技術】
【０００２】
特許文献１においては、建築物に作り付けられた収納本体内の受部上に設置される建築用板材が提案されている。
この建築用板材は、金属製補強芯材および木製芯材を含む枠体内に、軽量化と強度を高めるペーパーハニカムが内蔵され、さらに上下の面材で挟み込まれたフラッシュ構造とされている。
【先行技術文献】
【特許文献】
【０００３】
【特許文献１】特開２００１−８１９５７号公報
【発明の概要】
【発明が解決しようとする課題】
【０００４】
ところで、建築用板材のさらなる軽量化のために、基材をペーパーハニカムや発泡材等の軽量材で形成して、その周囲を薄い化粧板で囲んだ建築用板材を構成することが考えられる。
しかし、このような建築用板材とした場合、特許文献１のように受桟上に設置して、ビスで固定しようとしても、基材のペーパーハニカムや発泡材にはビスが効きにくいため、被取付面への取付強度の向上が求められていた。
また、建築用板材の下に受桟が見えるのは外観上好ましくないため、外観意匠性の向上も併せて求められていた。
【０００５】
本発明は上記課題に鑑みてなされたものであり、建築用板材を軽量化できるとともに、取付強度や外観意匠性を向上させることが可能な建築用板材の取付構造を提供することを目的とする。
【課題を解決するための手段】
【０００６】
請求項１に記載の発明は、例えば図１〜図１２に示すように、木材よりも軽い軽量材から構成された基材１１と、
前記基材１１のうち少なくとも前端面および上下面に接合される化粧板１２と、を含んで構成された建築用板材１０が、被取付面（例えば壁面１）に設けられた受部１４に取り付けられてなる建築用板材１０の取付構造であって、
前記建築用板材１０と前記受部１４のうち少なくとも一方が、側面視において前記被取付面に対して傾斜した傾斜部位を有しており、
前記建築用板材１０は、その被取付面側の端部に形成されて前記受部１４が嵌合される嵌合凹部１３を備え、前記建築用板材１０は、前記受部１４が前記嵌合凹部１３に嵌合した状態で前記受部１４に固定されていることを特徴とする。
【０００７】
請求項１に記載の発明によれば、建築用板材１０は、その被取付面（例えば壁面１）側の端部に形成されて受部１４が嵌合される嵌合凹部１３を備え、建築用板材１０は、受部１４が嵌合凹部１３に嵌合した状態で受部１４に固定されているので、取付強度を向上させることができる。また、嵌合凹部１３に受部１４が嵌合した状態となるので、受部１４を遮蔽することができ、外観意匠性の向上を図ることができる。
さらに、建築用板材１０と受部１４のうち少なくとも一方が、側面視において被取付面に対して傾斜した傾斜部位を有するので、例えば建築用板材１０を、上からの荷重を支持しやすい向き（例えば斜め上向き）に取り付けることができたり、受部１４を、建築用板材１０の荷重を支持しやすいフック状に用いることができたりする。そのため、単に、建築用板材１０と受部１４の双方が被取付面に対して垂直にされた状態で取り付けられる場合よりも、建築用板材１０の取付強度を向上させたり、上からの荷重を確実に支持したりすることができる。
さらに、建築用板材１０が、被取付面に対して斜めに取り付けられれば、単に被取付面に対して垂直に取り付けられる場合よりも、被取付面に対してアクセントをつけることができるので、外観意匠性を向上させることができる。
しかも、建築用板材１０が、木材よりも軽い軽量材から構成された基材１１を備えるので、軽量化に貢献できる。そのため、例えば基材１１を木材で構成した場合に比して、建築用板材１０を受部１４によって支持しやすくなる。
【０００８】
請求項２に記載の発明は、例えば図２〜図１０，図１２に示すように、請求項１に記載の建築用板材１０の取付構造において、
側面視において前記受部１４は、前記嵌合凹部１３の受部１４側面に隙間なく当接していることを特徴とする。
【０００９】
請求項２に記載の発明によれば、側面視において受部１４は、嵌合凹部１３の受部１４側面に隙間なく当接しているので、建築用板材１０の向きや受部１４の向きに関わらず、嵌合凹部１３に対する受部１４の密着性が高まり、建築用板材１０の取付強度の向上に貢献できる。
【００１０】
請求項３に記載の発明は、例えば図２〜図４に示すように、請求項１または２に記載の建築用板材１０の取付構造において、
前記被取付面は壁面１であり、
前記建築用板材１０と前記受部１４の双方が前記傾斜部位を有しており、
前記建築用板材１０と前記受部１４のそれぞれの上下面のうち、少なくとも下面が上向きに傾斜した前記傾斜部位であることを特徴とする。
【００１１】
請求項３に記載の発明によれば、建築用板材１０と受部１４のそれぞれの上下面のうち、少なくとも下面が上向きに傾斜した傾斜部位であるため、荷重が被取付面に向かって斜め下向きにかかることになり、建築用板材１０を支持しやすくなる。これにより、建築用板材１０の取付強度の向上に貢献できる。
【００１２】
請求項４に記載の発明は、例えば図５に示すように、請求項１または２に記載の建築用板材３０，３５の取付構造において、
前記被取付面は壁面１であり、
前記建築用板材３０，３５が側面視において前記壁面１に対して垂直に設けられ、
前記受部３４，３９の上下面のうち、少なくとも下面３４ｃ，３９ｃが上向きに傾斜した前記傾斜部位であることを特徴とする。
【００１３】
請求項４に記載の発明によれば、建築用板材３０，３５が側面視において壁面１に対して垂直に設けられ、受部３４，３９の上下面のうち、少なくとも下面３４ｃ，３９ｃが上向きに傾斜した傾斜部位であるため、建築用板材３０，３５を支持する受部３４，３９の荷重が被取付面に向かって斜め下向きにかかることになり、建築用板材３０，３５を支持しやすくなる。これにより、建築用板材３０，３５の取付強度の向上に貢献できる。
【００１４】
請求項５に記載の発明は、例えば図６に示すように、請求項１または２に記載の建築用板材４０の取付構造において、
前記被取付面は壁面１であり、
前記受部４４が側面視において前記壁面１に対して垂直に設けられ、前記建築用板材４０が前記傾斜部位を有することを特徴とする。
【００１５】
請求項５に記載の発明によれば、受部４４が側面視において壁面１に対して垂直に設けられ、建築用板材４０が傾斜部位を有するので、受部４４の上面によって建築用板材４０を受けることができるとともに、荷重が被取付面に向かって斜め下向きにかかることになり、建築用板材４０を支持しやすくなる。これにより、建築用板材４０の取付強度の向上に貢献できる。
【００１６】
請求項６に記載の発明は、例えば図７〜図１０に示すように、請求項１または２に記載の建築用板材１０の取付構造において、
前記被取付面は、天井（例えば天井３、勾配天井５）を有する部屋（例えば部屋２、部屋４）のうち前記天井の周縁部に沿って設けられる壁面１であり、
前記建築用板材１０は、前記天井付近に配置されていることを特徴とする。
【００１７】
請求項６に記載の発明によれば、被取付面は、天井を有する部屋のうち天井の周縁部に沿って設けられる壁面１であり、建築用板材１０は、天井付近に配置されているので、例えば建築用板材１０を、天井付近の飾り棚としての用途や、天井付近に設けられる照明を目隠しして間接照明を構成する用途など、様々な用途で使うことができ、利便性が高い。
【００１８】
請求項７に記載の発明は、例えば図８〜図１０に示すように、請求項６に記載の建築用板材１０の取付構造において、
前記天井は勾配天井５であり、
前記建築用板材１０は、前記勾配天井５のうち勾配方向の上方または下方において、前記勾配天井５の勾配に沿って傾斜した状態で前記壁面１（１ｃ）に取り付けられていることを特徴とする。
【００１９】
請求項７に記載の発明によれば、建築用板材１０は、勾配天井５のうち勾配方向の上方または下方において、勾配天井５の勾配に沿って傾斜した状態で壁面１（１ｃ）に取り付けられているので、天井が勾配天井５であっても、建築用板材１０を様々な用途で使うことができ、利便性が高い。
【００２０】
請求項８に記載の発明は、例えば図７，図１０に示すように、請求項６または７に記載の建築用板材１０の取付構造において、
複数の前記建築用板材１０が、互いの端部同士が連結された状態で前記壁面１（１ａ，１ｂ，１ｃ）に取り付けられていることを特徴とする。
【００２１】
請求項８に記載の発明によれば、複数の建築用板材１０が、互いの端部同士が連結された状態で壁面１（１ａ，１ｂ，１ｃ）に取り付けられているので、例えば建築用板材１０を、部屋２，４の全周の壁面１（１ａ，１ｂ，１ｃ）に取り付けて折り上げ天井風の天井を形成する用途など、様々な用途で使うことができ、利便性が高い。
さらに、建築用板材１０を複数用い、互いの端部同士を連結させた状態とすれば、これら複数の建築用板材１０は互いに支え合うことになるので、建築用板材１０の壁面１（１ａ，１ｂ，１ｃ）への取付強度の向上を図ることができる。
【００２２】
請求項９に記載の発明は、例えば図１１，図１２に示すように、請求項１または２に記載の建築用板材１０の取付構造において、
前記被取付面は天井７であり、
複数の前記建築用板材１０が、互いの端部同士が連結された状態で、前記天井７に設けられた前記受部１４に取り付けられていることを特徴とする。
【００２３】
請求項９に記載の発明によれば、複数の建築用板材１０が、互いの端部同士が連結された状態で、天井７に設けられた受部１４に取り付けられているので、被取付面が天井７であっても、建築用板材１０を複数用い、互いの端部同士を連結させた状態とすれば、これら複数の建築用板材１０は互いに支え合うことになる。
これによって、複数の建築用板材１０の被取付面への取付強度の向上を図ることができるので、被取付面である天井７にも好適に取り付けることができる。
【００２４】
請求項１０に記載の発明は、例えば図３〜図５，図１１，図１２に示すように、請求項１〜９のいずれか一項に記載の建築用板材１５の取付構造において、
前記被取付面（例えば壁面１）に取り付けられた状態の前記建築用板材１５における突出方向側端部には、上方または下方に突出する突片１７ｄが前記建築用板材１５の長さ方向に沿って設けられていることを特徴とする。
【００２５】
請求項１０に記載の発明によれば、被取付面に取り付けられた状態の建築用板材１５における突出方向側端部には、上方または下方に突出する突片１７ｄが建築用板材１５の長さ方向に沿って設けられているので、突片１７ｄによって、この突片１７ｄよりも被取付面側にある物を目隠ししたり、建築用板材１５上面に載置した物の落下を防いだり等、建築用板材１５を様々な用途で使うための可能性を格段に広げることができる。
【発明の効果】
【００２６】
本発明によれば、建築用板材を軽量化できるとともに、取付強度や外観意匠性を向上させることが可能となる。
【図面の簡単な説明】
【００２７】
【図１】建築用板材の取付構造の概略を示す斜視図である。
【図２】建築用板材の被取付面への取付状態を説明する縦断面図である。
【図３】建築用板材の被取付面への取付状態を説明する縦断面図である。
【図４】建築用板材の被取付面への取付状態を説明する縦断面図である。
【図５】建築用板材の被取付面への取付状態を説明する縦断面図である。
【図６】建築用板材の被取付面への取付状態を説明する縦断面図である。
【図７】建築用板材の取付構造が採用された実施例を示す斜視図である。
【図８】建築用板材の取付構造が採用された他の実施例を示す縦断面図である。
【図９】図８に示す実施例を説明するための斜視図である。
【図１０】建築用板材の取付構造が採用された他の実施例を示す斜視図である。
【図１１】建築用板材の取付構造が採用された他の実施例を示す斜視図である。
【図１２】図１１に示す実施例を説明するための縦断面図である。
【発明を実施するための形態】
【００２８】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２９】
図１において符号１は、被取付面である壁面を示す。この壁面は、壁体の表面であり、さらに、住宅等を始めとする各種建物の屋内側または屋外側の壁面を指している。
そして、壁面１のうち任意の高さ位置に、以下の各実施形態における建築用板材１０（１５，２０，２５，３０，３５，４０，４５）が取り付けられる。
【００３０】
［第１実施形態］
図２は、建築用板材１０の、被取付面である壁面１への取付状態を示している。
建築用板材１０は、木材よりも軽い軽量材から構成された基材１１と、基材１１のうち少なくとも前端面および上下面に接合される化粧板１２と、を含んで構成されている。
また、このような建築用板材１０は、壁面１に設けられた受部１４に対して取り付けられている。より詳細に説明すると、建築用板材１０は、その壁面１側の端部に形成されて受部１４が嵌合される嵌合凹部１３を備え、建築用板材１０は、受部１４が嵌合凹部１３に嵌合した状態で受部１４に固定されている。
【００３１】
基材１１を構成する軽量材としては紙材をハニカム状に形成してなるペーパーハニカムや、発泡ウレタン・発泡スチロール等の発泡材、その他の繊維質や多孔質の素材が好適に用いられており、そのいずれを採用してもよい。すなわち、建築用板材１０は、木材よりも軽量であり、さらには、壁面１に取り付けられた状態で保持され、その状態で使用できればよい。
なお、建築用板材１０が壁面１に取り付けられる際に基材１１において受部１４側を向く面を、以下、取付面１１ａと称する。これに対し、受部１４において基材１１側を向く面を、以下、取付面１４ａと称する。
これら取付面１１ａ，１４ａ同士は、建築用板材１０が壁面１に取り付けられた際に、互いに隙間なく当接し合う状態となる。また、これら取付面１１ａ，１４ａ同士は、略等しい面積に設定されている。
【００３２】
化粧板１２は、例えばＭＤＦ(Medium density fiberboard：中密度繊維板）や、合板、パーティクルボード等のボード材にからなる厚さ数ｍｍ程度（３ｍｍ〜７ｍｍ程度）の薄板が好適に用いられており、そのいずれを採用してもよい。すなわち、化粧板１２としては、建築用板材１０を支持するのに必要な強度を有するとともに、建築用板材１０の軽量化に貢献すべく、ある程度の薄さに設定されたものが用いられる。
なお、化粧板１２の外表面には、例えば木目模様等のデザインが印刷されたり、デザインが印刷された化粧シートが貼り付けられたりする。
【００３３】
化粧板１２は、上述のように基材１１の前端面および上下面に接合されており、本実施形態においては基材１１の幅方向両端面にも接合されている。
さらに、化粧板１２は、受部１４側に突出している。すなわち、壁面１への取付前の状態の化粧板１２は、基材１１に対して、基材１１の取付面１１ａのみを露出させた状態で、かつ取付面１１ａよりも突出した状態となるように接合されている。換言すれば、化粧板１２は、取付面１１ａの全周を囲んでおり、当該取付面１１ａに対して直交する方向に沿って突出した状態となるように、基材１１に対して接着剤等により接合されている。
【００３４】
また、化粧板１２における取付面１１ａからの突出寸法は、受部１４が壁面１から突出する寸法と略等しく設定されている。さらに、上述したように基材１１の取付面１１ａと、受部１４の取付面１４ａとが略等しい面積に設定されている。このため、建築用板材１０を壁面１に取り付ける際においては、化粧板１２における取付面１１ａから突出した部分に受部１４が嵌合する状態となる。このように、取付面１１ａから突出した化粧板１２によって囲まれた部分が、上述した嵌合凹部１３である。
つまり、嵌合凹部１３は、基材１１における取付面１１ａと、この取付面１１ａの周縁から壁面１側に突出する化粧板１２と、によって構成されたものである。
【００３５】
なお、本実施形態においては化粧板１２が、基材１１の幅方向両端面にも接合されるものとしたが、これに限られるものではない。すなわち、図示はしないが、基材１１の幅方向側の端面に、化粧板１２の側端面と面一になる下地材を取り付けて、化粧板１２の側端面と下地材の上から、化粧板１２の表面デザインと同様のデザインが印刷された化粧シートを貼り付けてもよい。このような場合、嵌合凹部１３は、基材１１の取付面１１ａと、化粧板１２および下地材とによって形成される。
さらに、複数の建築用板材１０が幅方向に連結するように用いられる場合は、隣接する一方の建築用板材１０の端部に凸部（角材等を利用）を形成し、他方の建築用板材１０の端部に、化粧板１２の突出を利用した凹部を形成し、これら凸部と凹部とを凹凸嵌合させて複数の建築用板材１０を連結するような構成を採用してもよい。このような場合、嵌合凹部１３は、幅方向側の端部が開放された形態となる。
【００３６】
受部１４は、例えばＬＶＬ（Laminated Veneer Lumber：単層積層材）や、集成材等の加工材が好適に用いられているが、通常の木材を切り出してなる角材を用いてもよい。
また、このような受部１４は、図示はしないが、釘・ビス等の固定具によって壁面１に固定されている。さらに、接着剤を併用してもよい。
【００３７】
そして、建築用板材１０と受部１４のうち少なくとも一方は、側面視において壁面１に対して傾斜した傾斜部位を有するものとなっている。
本実施形態においては、建築用板材１０と受部１４の双方が傾斜部位を有する。さらに、建築用板材１０と受部１４のそれぞれの上下面のうち、少なくとも下面が上向きに傾斜した傾斜部位となっている。
なお、「上向きに傾斜」とは、被取付面である壁面１から離間するにつれて、徐々に上方に向かって傾斜することを指している。
【００３８】
本実施形態における建築用板材１０は、この建築用板材１０自体が壁面１に対して傾斜している。そのため、建築用板材１０を構成する各部位の全てが傾斜部位となっている。
特に、建築用板材１０のうち、化粧板１２の上面部１２ａおよび下面部１２ｂが、その端部が壁面１に対して当接するとともに、壁面１に対して上向きに傾斜している。
また、化粧板１２の上面部１２ａと下面部１２ｂは、図２に示すように平行に配置されている。そのため、建築用板材１０が上向きに傾斜する分だけ、下面部１２ｂが上面部１２ａよりも長尺に設定されている。なお、これら上面部１２ａおよび下面部１２ｂは、化粧板１２の前端面を構成する前端部１２ｃに対して垂直である。
【００３９】
建築用板材１０を安定的かつ確実に支持すべく、側面視において受部１４は、嵌合凹部１３の受部側面に隙間なく当接している。また、上述したように、基材１１の取付面１１ａにも隙間なく当接している。さらに、受部１４は、嵌合凹部１３の長さ方向に沿って長尺であり、一つ（または必要に応じて複数）の受部１４によって建築用板材１０を支持することが可能となっている。
嵌合凹部１３の受部側面とは少なくとも、嵌合凹部１３の上側に位置して受部１４の上面１４ｂに当接する上側面１３ｂと、嵌合凹部１３の下側に位置して受部１４の下面１４ｃに当接する下側面１３ｃと、を指す。本実施形態においては、図示はしないが、嵌合凹部１３の左右両側に位置して受部１４の幅方向両端面に当接する左右側面をも指すものとする。
このような受部１４の構成を鑑みると、受部１４は、建築用板材１０の傾斜角と等しい傾斜角度を以て壁面１に取り付けられることとなる。つまり、受部１４自体は側面視において台形状に形成されており、壁面１に対して上向きに傾斜するように固定されている。さらに、受部１４を構成する各部位のうち、壁面１に当接する部位を除く部位が傾斜部位となっている。
また、受部１４における上面１４ｂの壁面１からの突出方向寸法は、嵌合凹部１３の上側面１３ｂと略等しく、下面１４ｃの壁面１からの突出方向寸法は、嵌合凹部１３の下側面１３ｃと略等しく設定されている。
以上のように構成されることで、受部１４は、嵌合凹部１３の受部側面および基材１１の取付面１１ａに隙間なく当接することになる。
なお、受部１４の突出寸法が必要以上に長い場合、受部１４自体の荷重が大きくなり、建築用板材１０を壁面１上に支持していられなくなる場合があるため、受部１４の突出寸法は必要以上に長くする必要がない。
【００４０】
そして、このような受部１４は、接着剤によって、嵌合凹部１３を構成する化粧板１２に接着される。
また、建築用板材１０の壁面１に対する取付高さにもよるが、化粧板１２の表面（上面部１２ａ・下面部１２ｂ）から受部１４の上面１４ｂまたは下面１４ｃに対して、釘・ビス等の固定具を設けて、さらに確実に固定してもよい。
【００４１】
次に、建築用板材１０を受部１４に取り付ける際の施工手順について説明する。なお、建築用板材１０は、予め工場や現場で製造されているものとする。
まずは、受部１４を壁面１に固定する。
続いて、受部１４の表面（取付面１４ａ・上面１４ｂ・下面１４ｃ）に接着剤を塗布してから、建築用板材１０を、受部１４に対して嵌合凹部１３が嵌合するように取り付ける。
その後は、接着剤の硬化を待つ。また、釘・ビス等の固定具によって化粧板１２を受部１４に固定してもよい。
以上のようにして、建築用板材１０を受部１４に取り付けることができ、受部１４によって、建築用板材１０を壁面１の表面に支持させることができる。
【００４２】
本実施の形態によれば、建築用板材１０は、その壁面１側の端部に形成されて受部１４が嵌合される嵌合凹部１３を備え、建築用板材１０は、受部１４が嵌合凹部１３に嵌合した状態で受部１４に固定されているので、取付強度を向上させることができる。また、嵌合凹部１３に受部１４が嵌合した状態となるので、受部１４を化粧板１２によって遮蔽することができ、外観意匠性の向上を図ることができる。
さらに、建築用板材１０と受部１４のうち少なくとも一方が、側面視において壁面１に対して傾斜した傾斜部位を有するので、例えば建築用板材１０を、上からの荷重を支持しやすい向き（例えば斜め上向き）に取り付けることができたり、受部１４を、建築用板材１０の荷重を支持しやすいフック状に用いることができたりする。そのため、単に、建築用板材１０と受部１４の双方が壁面１に対して垂直にされた状態で取り付けられる場合よりも、建築用板材１０の取付強度を向上させたり、上からの荷重を確実に支持したりすることができる。
さらに、建築用板材１０が、壁面１に対して斜めに取り付けられれば、単に壁面１に対して垂直に取り付けられる場合よりも、壁面１に対してアクセントをつけることができるので、外観意匠性を向上させることができる。
しかも、建築用板材１０が、木材よりも軽い軽量材から構成された基材１１を備えるので、軽量化に貢献できる。そのため、例えば基材１１を木材で構成した場合に比して、建築用板材１０を受部１４によって支持しやすくなる。
【００４３】
特に、建築用板材１０と受部１４のそれぞれの上下面のうち、少なくとも下面が上向きに傾斜した傾斜部位であるため、荷重が壁面１に向かって斜め下向きにかかることになり、建築用板材１０を支持しやすくなる。これにより、建築用板材１０の取付強度の向上に貢献できる。
【００４４】
さらに、側面視において受部１４は、嵌合凹部１３の受部側面に隙間なく当接しているので、建築用板材１０の向きや受部１４の向きに関わらず、嵌合凹部１３に対する受部１４の密着性が高まり、建築用板材１０の取付強度の向上に貢献できる。
【００４５】
なお、本実施形態では、建築用板材１０と受部１４のうち少なくとも一方が、側面視において壁面１に対して傾斜した傾斜部位を有するものとしたが、当該傾斜部位は、あくまで建築用板材１０と受部１４とが接する部位の近辺における構成である。したがって、建築用板材１０の突出方向先端に傾斜した部位があったとしても、受部１４と関わりない傾斜であれば、本実施形態における傾斜部位に該当するものではない。
より詳細に説明すると、側面視において、壁面１に対する受部１４の突出方向と嵌合凹部１３の凹み方向の向きは常に同一であるが、壁面１に対する建築用板材１０（基材１１、化粧板１２）の向きは、受部１４および嵌合凹部１３と同一であってもよいし、同一でなくてもよい。
換言すれば、側面視において受部１４は、嵌合凹部１３の受部側面に隙間なく当接するものであり、嵌合凹部１３の上側面１３ｂおよび下側面１３ｃは、常に、受部１４の上面１４ｂおよび下面１４ｃに沿った状態であり、嵌合凹部１３と受部１４は“対”の関係になっているが、化粧板１２の上面部１２ａおよび下面部１２ｂとは必ずしも沿った状態になっていなくてもよい。
また、このように側面視において、壁面１に対する受部１４と嵌合凹部１３の向きは常に揃っているため、建築用板材１０の壁面１（受部１４）への取付向きは、常に、受部１４の突出方向に対して反対の向きである。
【００４６】
［第２実施形態］
次に、図面を参照して本発明の第２実施形態について説明する。なお、説明の便宜上、上述した第１実施形態とは異なる構成部分に重点を置いて説明する。
【００４７】
本実施形態における建築用板材の取付構造は、図３に示すように、木材よりも軽い軽量材から構成された基材１６と、基材１６のうち少なくとも前端面および上下面に接合される化粧板１７と、を含んで構成された建築用板材１５が、被取付面である壁面１に設けられた受部１９に取り付けられてなる。また、建築用板材１５は、その壁面１側の端部に形成されて受部１９が嵌合される嵌合凹部１８を備える。
このような建築用板材１５は、受部１９が嵌合凹部１８に嵌合した状態で受部１９に固定されている。
【００４８】
なお、基材１６は、取付面１６ａを備える。
また、化粧板１７は、上面部１７ａと、下面部１７ｂと、前端部１７ｃと、を備える。
また、嵌合凹部１８は、上側面１８ｂと、下側面１８ｃと、を備える。
また、受部１９は、取付面１９ａと、上面１９ｂと、下面１９ｃと、を備える。
【００４９】
そして、建築用板材１５と受部１９のうち少なくとも一方が、側面視において壁面１に対して傾斜した傾斜部位を有する。
本実施形態では、建築用板材１５自体が側面視において壁面１に対して傾斜しているとともに、受部１９のうち壁面１に当接する部位を除く部位が側面視において壁面１に対して傾斜している。つまり、化粧板１７においては下面部１７ｂが上面部１７ａよりも長尺に設定され、受部１９は台形状に形成されている。
【００５０】
なお、本実施形態の建築用板材１５は、第１実施形態で示した建築用板材１０よりも傾斜が緩い状態で壁面１に取り付けられている。
すなわち、図３における鎖線は、壁面１に対して垂直（または水平）になっている。そして、建築用板材１５は、その下面（化粧板１７の下面部１７ｂ）が鎖線に近接した状態となるように壁面１に取り付けられている。
【００５１】
本実施形態においては、壁面１に取り付けられた状態の建築用板材１５における突出方向側端部に、上方に突出する突片１７ｄが建築用板材１５の長さ方向に沿って設けられている。
突片１７ｄは、化粧板１７と一体形成されており、前端部１７ｃの延長線上に設けられている。なお、その突出長さ（高さ）は、適宜変更可能である。
【００５２】
本実施の形態によれば、第１実施形態と同じ効果を得ることができるとともに、壁面１に取り付けられた状態の建築用板材１５における突出方向側端部に、上方に突出する突片１７ｄが建築用板材１５の長さ方向に沿って設けられているので、突片１７ｄによって、この突片１７ｄよりも壁面１側にある物を目隠ししたり、建築用板材１５上面に載置した物の落下を防いだり等、建築用板材１５を様々な用途で使うための可能性を格段に広げることができる。
【００５３】
［第３実施形態］
次に、図面を参照して本発明の第３実施形態について説明する。なお、説明の便宜上、上述した第１，第２実施形態とは異なる構成部分に重点を置いて説明する。
【００５４】
本実施形態における建築用板材の取付構造は、図４（ａ），（ｂ）に示すように、木材よりも軽い軽量材から構成された基材２１，２６と、基材２１，２６のうち少なくとも前端面および上下面に接合される化粧板２２，２７と、を含んで構成された建築用板材２０，２５が、被取付面である壁面１に設けられた受部２４，２９に取り付けられてなる。また、建築用板材２０，２５は、その壁面１側の端部に形成されて受部２４，２９が嵌合される嵌合凹部２３，２８を備える。
このような建築用板材２０，２５は、受部２４，２９が嵌合凹部２３，２８に嵌合した状態で受部２４，２９に固定されている。
【００５５】
なお、基材２１，２６は、取付面２１ａ，２６ａを備える。
また、化粧板２２，２７は、上面部２２ａ，２７ａと、下面部２２ｂ，２７ｂと、前端部２２ｃ，２７ｃと、突片２２ｄ，２７ｄと、を備える。
また、嵌合凹部２３，２８は、上側面２３ｂ，２８ｂと、下側面２３ｃ，２８ｃと、を備える。
また、受部２４，２９は、取付面２４ａ，２９ａと、上面２４ｂ，２９ｂと、下面２４ｃ，２９ｃと、を備える。
【００５６】
そして、本実施形態においては、建築用板材２０，２５と受部２４，２９の双方が傾斜部位を有しており、建築用板材２０，２５と受部２４，２９のそれぞれの上下面のうち、少なくとも下面が上向きに傾斜した傾斜部位である。
より詳細に説明すると、建築用板材２０，２５における化粧板２２，２７の下面部２２ｂ，２７ｂと、受部２４，２９の下面２４ｃ，２９ｃが傾斜部位となっている。一方、化粧板２２，２７の上面部２２ａ，２７ａと、受部２４，２９の上面２４ｂ，２９ｂは、壁面１に対して垂直に配置されている。前端部２２ｃ，２７ｃは、壁面１と平行に配置されている。
つまり、本実施形態の建築用板材２０，２５は、上面が、壁面１に対して垂直に配置され、壁面１から離間するにつれて先細りした状態となるように形成されている。
【００５７】
また、図４（ａ）に示す建築用板材２０と、図４（ｂ）に示す建築用板材２５は、それぞれの図で示す鎖線に対する建築用板材２０，２５の下面の傾斜角度が異なる。
つまり、図４（ａ）に示す建築用板材２０の下面の傾斜角度は、図４（ｂ）に示す建築用板材２５の下面の傾斜角度よりも緩く、鎖線に近接した状態となっている。換言すれば、図４（ｂ）に示す建築用板材２５の下面の傾斜角度は、図４（ａ）に示す建築用板材２０の下面の傾斜角度よりも急である。
このような構成を実現するために、図４（ｂ）に示す建築用板材２５における壁面１側端部の厚みが、図４（ａ）に示す建築用板材２０における壁面１側端部の厚みよりも厚くなるように設定されている。
【００５８】
また、本実施形態においては、壁面１に取り付けられた状態の建築用板材２０，２５における突出方向側端部に、上方に突出する突片２２ｄ，２７ｄが建築用板材２０，２５の長さ方向に沿って設けられている。
突片２２ｄ，２７ｄは、化粧板２２，２７と一体形成されており、前端部２２ｃ，２７ｃの延長線上に設けられている。なお、その突出長さ（高さ）は、適宜変更可能である。
【００５９】
本実施の形態によれば、第１，第２実施形態と同じ効果を得ることができるとともに、壁面１に取り付けられた状態の建築用板材２０，２５上面を、壁面１に対して垂直な（水平な）状態にすることができるので、物品を展示する棚板として利用するような場合に好適である。
【００６０】
［第４実施形態］
次に、図面を参照して本発明の第４実施形態について説明する。なお、説明の便宜上、上述した第１〜第３実施形態とは異なる構成部分に重点を置いて説明する。
【００６１】
本実施形態における建築用板材の取付構造は、図５（ａ），（ｂ）に示すように、木材よりも軽い軽量材から構成された基材３１，３６と、基材３１，３６のうち少なくとも前端面および上下面に接合される化粧板３２，３７と、を含んで構成された建築用板材３０，３５が、被取付面である壁面１に設けられた受部３４，３９に取り付けられてなる。また、建築用板材３０，３５は、その壁面１側の端部に形成されて受部３４，３９が嵌合される嵌合凹部３３，３８を備える。
このような建築用板材３０，３５は、受部３４，３９が嵌合凹部３３，３８に嵌合した状態で受部３４，３９に固定されている。
【００６２】
そして、本実施形態においては、建築用板材３０，３５が側面視において壁面１に対して垂直に設けられている。
また、受部３４，３９の上下面のうち、少なくとも下面３４ｃ，３９ｃが上向きに傾斜した傾斜部位である。
換言すれば、受部３４，３９は壁面１に対して下面３４ｃ，３９ｃが上向きに、つまりフック状に傾斜している。これに伴って、嵌合凹部３３，３８も、受部３４，３９の形状に対応して、下向き開口するように形成されている。
【００６３】
なお、図５（ａ）に示す建築用板材３０の基材３１は、取付面３１ａを備える。
化粧板３２は、上面部３２ａと、下面部３２ｂと、前端部３２ｃと、突片３２ｄと、を備える。上面部３２ａと下面部３２ｂは、壁面１に対して垂直に設けられるとともに互いに平行して配置されている。また、前端部３２ｃは、上面部３２ａおよび下面部３２ｂに対して垂直である。
嵌合凹部３３は、上側面３３ｂと、下側面３３ｃと、を備える。
受部３４は、取付面３４ａと、上面３４ｂと、下面３４ｃと、を備える。
【００６４】
なお、図５（ｂ）に示す建築用板材３５における受部３９は、側断面視において取付面３９ａと、上面３９ｂと、下面３９ｃとが一体形成され、互いの交差部分に角を形成しない状態でカーブを描くようにしながらフック状に傾斜している。
基材３６は、その壁面１側端部に形成された嵌合凹部３８を含んで構成されており、この嵌合凹部３８も、受部３９の形状に対応して、カーブを描くようなフック状に形成されている。
また、化粧板３７は、上面部３７ａと、下面部３７ｂと、前端部３７ｃと、突片３７ｄと、を備える。上面部３７ａと下面部３７ｂは、壁面１に対して垂直に設けられるとともに互いに平行して配置されている。また、前端部３７ｃは、上面部３７ａおよび下面部３７ｂに対して垂直である。
【００６５】
また、双方の建築用板材３０，３５における突片３２ｄ，３７ｄは、化粧板３２，３７と一体形成されており、前端部３２ｃ，３７ｃの延長線上に設けられている。なお、その突出長さ（高さ）は、適宜変更可能である。
【００６６】
本実施形態によれば、第１〜第３実施形態と同じ効果を得ることができるとともに、建築用板材３０，３５が側面視において壁面１に対して垂直に設けられ、受部３４，３９の上下面のうち、少なくとも下面３４ｃ，３９ｃが上向きに傾斜した傾斜部位であるため、建築用板材３０，３５を支持する受部３４，３９の荷重が壁面１に向かって斜め下向きにかかることになり、建築用板材３０，３５を支持しやすくなる。これにより、建築用板材３０，３５の取付強度の向上に貢献できる。
【００６７】
［第５実施形態］
次に、図面を参照して本発明の第５実施形態について説明する。なお、説明の便宜上、上述した第１〜第４実施形態とは異なる構成部分に重点を置いて説明する。
【００６８】
本実施形態における建築用板材の取付構造は、図６に示すように、木材よりも軽い軽量材から構成された基材４１と、基材４１のうち少なくとも前端面および上下面に接合される化粧板４２と、を含んで構成された建築用板材４０が、被取付面である壁面１に設けられた受部４４に取り付けられてなる。また、建築用板材４０は、その壁面１側の端部に形成されて受部４４が嵌合される嵌合凹部４３を備える。
このような建築用板材４０は、受部４４が嵌合凹部４３に嵌合した状態で受部４４に固定されている。
【００６９】
受部４４は、側面視において壁面１に対して垂直に設けられ、建築用板材４０が傾斜部位を有する。
すなわち、受部４４は、図６に示すように側断面視において矩形状に形成されており、上面４４ｂおよび下面４４ｃが、壁面１に対して垂直に配置されている。また、取付面４４ａは、上面４４ｂおよび下面４４ｃに対して垂直に配置されている。
また、これに伴って、嵌合凹部４３も、受部４４の形状に対応して、壁面１に向かって開口するように形成されている。
【００７０】
なお、図６に示す建築用板材４０における基材４１は、嵌合凹部４３を含んで構成されており、この嵌合凹部４３も、受部４４の形状に対応して、矩形状の空間となるように形成されている。
また、化粧板４２は、上面部４２ａと、下面部４２ｂと、前端部４２ｃと、備える。上面部３７ａと下面部３７ｂは、壁面１に対して垂直に設けられるとともに互いに平行して配置されている。また、前端部３７ｃは、上面部３７ａおよび下面部３７ｂに対して垂直である。
【００７１】
本実施形態によれば、第１〜第４実施形態と同じ効果を得ることができるとともに、受部４４が側面視において壁面１に対して垂直に設けられ、建築用板材４０が傾斜部位を有するので、受部４４の上面によって建築用板材４０を受けることができるとともに、荷重が壁面１に向かって斜め下向きにかかることになり、建築用板材４０を支持しやすくなる。これにより、建築用板材４０の取付強度の向上に貢献できる。
【００７２】
［実施例１］
図７は、建築用板材の取付構造が採用された実施例を示す斜視図である。
この実施例における被取付面は、天井３を有する部屋２のうち、天井３の周縁部に沿って設けられる壁面１である。建築用板材１０は、第１実施形態で説明したものと同様の構成であり、天井３付近に配置されている。
部屋２は平面視矩形状に形成され、四方に壁面１が設けられた状態となっている。つまり、部屋２の四隅は入隅部となっている。
建築用板材１０は、このような平面視矩形状の部屋２に対応して、四方の壁面１のそれぞれに取り付けられている。すなわち、四方の壁面１のそれぞれに受部１４が固定されている。
【００７３】
隣接する建築用板材１０同士は、部屋２の入隅部において連結されており、部屋２を取り囲むようにして配置されている。
建築用板材１０同士は、端部が斜めにカットされて互いに合致する形状となっている。さらに、一方の建築用板材１０の端部に凸部（図示せず）が形成され、他方の建築用板材１０の端部に凹部（図示せず）が形成されており、これら凸部と凹部による凹凸嵌合構造によって、隣接する建築用板材１０同士が連結されているものとする。
建築用板材１０同士の連結方法はこれに限られるものではなく、接着剤等による接合により連結されていてもよい。
また、建築用板材１０同士の間には、部屋２の四方に建築用板材１０を取り付けできるように、施工後に目立たない程度のクリアランス（隙間）が形成されるものとする。
【００７４】
このようにして建築用板材１０を用いれば、部屋２に折り上げ天井を形成することができる。また、本実施例では、建築用板材１０を部屋２の四方の壁面１に取り付けるものとしたが、一つの壁面１に取り付けて使用してもよく、適宜変更可能である。
本実施例によれば、被取付面が、天井３を有する部屋２のうち天井３の周縁部に沿って設けられる壁面１であり、建築用板材１０は、天井３付近に配置されているので、例えば建築用板材１０を、天井３付近の飾り棚としての用途や、天井３付近に設けられる照明を目隠しして間接照明を構成する用途など、様々な用途で使うことができ、利便性が高い。
また、複数の建築用板材１０が、互いの端部同士が連結された状態で壁面１に取り付けられているので、建築用板材１０を、本実施例のように部屋２の全周の壁面１に取り付けて折り上げ天井風の天井を形成する用途など、様々な用途で使うことができ、利便性が高い。
【００７５】
［実施例２］
図８，図９は、建築用板材の取付構造が採用された実施例を示す図である。
この実施例における被取付面は、勾配天井５を有する部屋４のうち、勾配天井５の周縁部に沿って設けられる壁面１である。建築用板材１０は、第１実施形態で説明したものと略同様の構成（基材１１、化粧板１２、嵌合凹部１３、受部１４）を備えており、勾配天井５付近に配置されている。
【００７６】
より詳細に説明すると、部屋４は平面視矩形状に形成され、四方に壁面１が設けられた状態となっている。本実施例では、説明の便宜上、勾配天井５における勾配方向の下方に位置する壁面を、壁面１と称し、その両側に隣接する壁面を、壁面１ａ，１ｂと称する。
壁面１は矩形状に形成された壁面である。一方、両側に隣接する壁面１ａ，１ｂは、上縁が勾配天井５に沿っているため、台形状に形成されて向かい合った状態となっている。
【００７７】
さらに、建築用板材１０は、図９に示すように、勾配天井５における勾配方向の下方に位置する壁面１と、その両側に隣接する壁面１ａ，１ｂに対して取り付けられている。すなわち、受部１４が、壁面１と、その両側に隣接する壁面１ａ，１ｂに対して平面視略コ字状をなす状態で固定されている。
勾配天井５における勾配方向の下方に位置する受部１４は、壁面１に対して上向きに傾斜して取り付けられている。また、両側に隣接する壁面１ａ，１ｂに設けられた受部１４は、両側に隣接する壁面１ａ，１ｂに対しては垂直に取り付けられており、勾配方向の下方に位置する壁面１に対しては上向きに傾斜した状態で配置されている。
このような受部１４に対して建築用板材１０が取り付けられている。そのため、建築用板材１０は、後端部と幅方向両端部に形成された、受部１４が嵌合される嵌合凹部１３を備えるものとする。すなわち、建築用板材１０の周側端面のうち前端面を除く三方に嵌合凹部１３が形成された状態となっている。
【００７８】
部屋４の三方の壁面１，１ａ，１ｂに固定された受部１４は、建築用板材１０の化粧板１２によって遮蔽されており、部屋４側からは見えない状態となる。
すなわち、建築用板材１０の周側端面のうち前端面を除く三方において、化粧板１２が基材１１の取付面１１ａよりも突出することにより嵌合凹部１３を形成しており、受部１４が、このような嵌合凹部１３に嵌合されて部屋４側から見えない状態となっている。
【００７９】
本実施例によれば、建築用板材１０が、勾配天井５付近に配置されているので、例えば建築用板材１０を、勾配天井５付近の飾り棚としての用途や、勾配天井５付近に設けられる照明を目隠しして間接照明を構成する用途など、様々な用途で使うことができ、利便性が高い。
さらに、建築用板材１０は、勾配天井５のうち勾配方向の下方において、勾配天井５の勾配に沿って傾斜した状態で壁面１に取り付けられているので、部屋４の天井が勾配天井５であっても、建築用板材１０を様々な用途で使うことができ、利便性が高い。
なお、本実施例の建築用板材１０は、勾配天井５のうち勾配方向の下方において、勾配天井５の勾配に沿って傾斜した状態で壁面１に取り付けられるものとしたが、これに限られるものではなく、勾配天井５のうち勾配方向の上方において、勾配天井５の勾配に沿って傾斜した状態で壁面に取り付けられるものとしてもよい。
【００８０】
［実施例３］
図１０は、建築用板材の取付構造が採用された実施例を示す図である。
この実施例における被取付面は、勾配天井５を有する部屋４のうち、勾配天井５の周縁部に沿って設けられる四方の壁面１である。
建築用板材１０は、実施例２で説明したものと略同様の構成（基材１１、化粧板１２、嵌合凹部１３、受部１４）を備えており、勾配天井５付近に配置されている。
【００８１】
より詳細に説明すると、部屋４は平面視矩形状に形成され、四方に壁面１が設けられた状態となっている。本実施例では、説明の便宜上、勾配天井５における勾配方向の下方に位置する壁面を、壁面１と称し、その両側に隣接する壁面を、壁面１ａ，１ｂと称し、これら両側の壁面１ａ，１ｂに隣接するとともに壁面１と対向する壁面を、壁面１ｃと称する。
壁面１，１ｃは矩形状に形成された壁面である。一方、両側に隣接する壁面１ａ，１ｂは、上縁が勾配天井５に沿っているため、台形状に形成されて向かい合った状態となっている。
【００８２】
建築用板材１０は、四方の壁面１，１ａ，１ｂ，１ｃに沿って矩形枠状をなす状態で取り付けられている。
すなわち、複数の建築用板材１０が、互いの端部同士が連結された状態で、四方の壁面１，１ａ，１ｂ，１ｃのそれぞれに取り付けられている。これに対応すべく、受部１４も、四方の壁面１，１ａ，１ｂ，１ｃのそれぞれに固定されている。
また、勾配天井５における勾配方向の下方に位置する受部１４は、壁面１に対して上向きに傾斜して取り付けられている。
さらに、両側に隣接する壁面１ａ，１ｂに設けられた受部１４は、両側に隣接する壁面１ａ，１ｂに対しては垂直に取り付けられており、勾配方向下方の壁面１に対しては上向きに傾斜した状態で、かつ勾配方向の上方の壁面１ｃに対しては下向きに傾斜した状態で配置されている。
さらに、受部１４は、壁面１に対向する壁面１ｃに対して下向きに傾斜して取り付けられている。
このような四方の受部１４のそれぞれに対して建築用板材１０が取り付けられている。そのため、建築用板材１０同士は、幅方向側端部が斜めにカットされて互いに合致する形状となっている。さらに、隣接する一方の建築用板材１０の端部に凸部（図示せず）が形成され、他方の建築用板材１０の端部に凹部（図示せず）が形成されており、これら凸部と凹部による凹凸嵌合構造によって、隣接する建築用板材１０同士が連結されているものとする。
建築用板材１０同士の連結方法はこれに限られるものではなく、接着剤等による接合により連結されていてもよい。
また、建築用板材１０同士の間には、部屋４の四方に建築用板材１０を取り付けできるように、施工後に目立たない程度のクリアランス（隙間）が形成されるものとする。
【００８３】
本実施例によれば、建築用板材１０は、勾配天井５付近に配置されているので、建築用板材１０を、勾配天井５付近の飾り棚としての用途や、勾配天井５付近に設けられる照明を目隠しして間接照明を構成する用途など、様々な用途で使うことができ、利便性が高い。
また、建築用板材１０は、勾配天井５のうち勾配方向の上方および下方において、勾配天井５の勾配に沿って傾斜した状態で壁面１，１ｃに取り付けられているので、天井が勾配天井５であっても、建築用板材１０を様々な用途で使うことができ、利便性が高い。
また、複数の建築用板材１０が、互いの端部同士が連結された状態で壁面１，１ａ，１ｂ，１ｃに取り付けられているので、例えば建築用板材１０を、部屋４の全周の壁面１，１ａ，１ｂ，１ｃに取り付けて折り上げ天井風の天井を形成する用途など、様々な用途で使うことができ、利便性が高い。
さらに、建築用板材１０を複数用い、互いの端部同士を連結させた状態とすれば、これら複数の建築用板材１０は互いに支え合うことになるので、建築用板材１０の壁面１，１ａ，１ｂ，１ｃへの取付強度の向上を図ることができる。
【００８４】
［実施例４］
図１１，１２は、建築用板材の取付構造が採用された実施例を示す図である。
この実施例における被取付面は、平面視矩形状に形成された部屋６の天井７である。
建築用板材１０は、実施例１で説明したものと略同様の構成（基材１１、化粧板１２、嵌合凹部１３、受部１４）を備えており、天井７を被取付面とし、この天井７に対して取り付けられている。
【００８５】
より詳細に説明すると、天井７は部屋６の形状に対応して矩形状であり、水平に設けられている。
このような天井７の中央に、複数の建築用板材１０が、互いに寄り合うような形態で取り付けられている。つまり、複数の建築用板材１０は、被取付面である天井７に対して、それぞれが異なる四つの方向に、かつ互いに接近する方向に傾斜した状態となっている。
これに対応すべく、受部１４も複数であり、天井７に対して、それぞれが異なる四つの方向に、かつ互いに接近する方向に傾斜した状態で固定されている。
【００８６】
このような複数の受部１４のそれぞれに対して建築用板材１０が取り付けられている。そのため、建築用板材１０同士は、幅方向側端部が斜めにカットされて互いに合致する形状となっている。さらに、隣接する一方の建築用板材１０の端部に凸部（図示せず）が形成され、他方の建築用板材１０の端部に凹部（図示せず）が形成されており、これら凸部と凹部による凹凸嵌合構造によって、隣接する建築用板材１０同士が連結されているものとする。
建築用板材１０同士の連結方法はこれに限られるものではなく、接着剤等による接合により連結されていてもよい。
【００８７】
また、複数の建築用板材１０は、天井７付近に配置されており、これら複数の建築用板材１０と天井７との間には照明器具８が設けられている。
すなわち、複数の建築用板材１０によって、天井７付近に設けられた照明器具８を目隠しすることができ、天井７付近に間接照明を構成することができる。
【００８８】
また、部屋６の壁面１には、複数の建築用板材１０が上下に間隔を空けて平行に並んで取り付けられている。
なお、これら複数の建築用板材１０における突出方向側端部には、上方に突出する突片１２ｄが建築用板材１０の長さ方向に沿って設けられている。
【００８９】
本実施例によれば、複数の建築用板材１０が、互いの端部同士が連結された状態で、天井７に設けられた受部１４に取り付けられているので、被取付面が天井７であっても、建築用板材１０を複数用い、互いの端部同士を連結させた状態とすれば、これら複数の建築用板材１０は互いに支え合うことになる。
これによって、複数の建築用板材１０の被取付面への取付強度の向上を図ることができるので、被取付面である天井７にも好適に取り付けることができる。
【００９０】
［変形例］
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００９１】
［変形例１］
図４（ａ），（ｂ）に示す建築用板材２０，２５の取付構造において、化粧板２２，２７の下面部２２ｂ，２７ｂは、壁面１に対して傾斜している。
本変形例では、図示はしないが、化粧板２２，２７の下面部２２ｂ，２７ｂが、壁面１に対して垂直に設けられている。
すなわち、化粧板２２，２７の下面部２２ｂ，２７ｂが、壁面１に対して垂直に設けられる場合であっても、建築用板材２０，２５を受部２４，２９によって支持し得る。
【００９２】
［変形例２］
図５（ａ），（ｂ）に示す建築用板材３０，３５の取付構造において、化粧板３２，３７の上面部３２ａ，３７ａは、壁面１に対して垂直に設けられている。
本変形例では、図示はしないが、化粧板３２，３７の上面部３２ａ，３７ａが、壁面１に対して下向きに傾斜している。
すなわち、化粧板３２，３７の上面部３２ａ，３７ａが、壁面１に対して下向きに傾斜している場合であっても、受部３４，３９がフック状に設けられるため、建築用板材３０，３５を受部３４，３９によって支持し得る。
【００９３】
［変形例３］
図６に示す建築用板材４０の取付構造において、受部４４の下面４４ｃは、壁面１に対して垂直に設けられている。
本変形例では、図示はしないが、受部４４の下面４４ｃが、壁面１に対して傾斜しており、化粧板４２の下面部４２ｂに沿って設けられている。受部４４の上面４４ｂは、壁面１に対して垂直に設けられている。
すなわち、壁面１に対して垂直に設けられる受部４４の場合であっても、少なくとも上面４４ｂが壁面１に対して垂直であれば、建築用板材４０を支持し得る。
【００９４】
［変形例４］
図５，図６に示す建築用板材３０，３５，４０の取付構造において、嵌合凹部３３，３８，４３は、基材３１，３６，４１によって構成されている。
このような場合における基材３１，３６，４１の材料は、軽量で、かつ硬質な基材が用いられている。
また、基材３１，３６，４１を構成する材料が繊維質または多孔質である場合には、嵌合凹部３３，３８，４３が形成された箇所に、硬質化のための樹脂を含浸させるなどして嵌合凹部３３，３８，４３の補強を図るようにしてもよい。
【００９５】
［変形例５］
図３〜図５等に示す建築用板材１５，２０，２５，３０，３５における突出方向側端部には、上方に突出する突片１７ｄ，２２ｄ，２７ｄ，３２ｄ，３７ｄが建築用板材１５，２０，２５，３０，３５の長さ方向に沿って設けられている。
本変形例では、図示はしないが、建築用板材１５，２０，２５，３０，３５における突出方向側端部に、下方に突出する突片が建築用板材１５，２０，２５，３０，３５の長さ方向に沿って設けられている。
このような場合、下方に突出する突片と、建築用板材１５，２０，２５，３０，３５の下面と、壁面１とで下向きに開口した収容部を形成することができる。
このような収容部は、例えば窓の上方に設けられることにより、カーテンレールを収容する所謂カーテンボックスとして用いることができる。
本変形例によれば、壁面１に取り付けられた状態の建築用板材１５，２０，２５，３０，３５における突出方向側端部に、下方に突出する突片が設けられているので、突片によって、この突片よりも壁面１側にある物を目隠しすることができ、外観性の向上に貢献できる。
【符号の説明】
【００９６】
１  壁面
５  勾配天井
７  天井
１０，１５，２０，２５，３０，３５，４０  建築用板材
１１，１６，２１，２６，３１，３６，４１  基材
１２，１７，２２，２７，３２，３７，４２  化粧板
１３，１８，２３，２８，３３，３８，４３  嵌合凹部
１４，１９，２４，２９，３４，３９，４４  受部
【図１】
2017036635.tif 000003
【図２】
2017036635.tif 000004
【図３】
2017036635.tif 000005
【図４】
2017036635.tif 000006
【図５】
2017036635.tif 000007
【図６】
2017036635.tif 000008
【図７】
2017036635.tif 000009
【図８】
2017036635.tif 000010
【図９】
2017036635.tif 000011
【図１０】
2017036635.tif 000012
【図１１】
2017036635.tif 000013
【図１２】
2017036635.tif 000014